(57)【要約】曲げに基づいた表示制御を行うことができる電子機器を提供する。電子機器は、表示部と、検出部と、制御部と、を備える。表示部は、可撓性を有する。検出部は、曲げを検出することが可能である。制御部は、検出部によって曲げが検出された場合に、当該曲げに基づいた表示制御を実行させる。
2014142269.tif 000002
【特許請求の範囲】
【請求項１】
可撓性を有する表示部と、
前記表示部の曲げを検出することが可能な検出部と、
前記検出部によって曲げが検出された場合に、当該曲げに基づいた表示制御を実行させる制御部と、
を備える電子機器。
【請求項２】
前記制御部は、前記検出部によって曲げが検出された場合に、当該曲げの位置に応じた表示領域で前記表示部に表示させる
請求項１に記載の電子機器。
【請求項３】
前記制御部は、前記検出部によって曲げが検出された場合に、前記検出部による曲げの検出時に前記表示部に表示されていた第１の画像とは異なる第２の画像を前記表示部に表示させる
請求項１に記載の電子機器。
【請求項４】
撮像部をさらに有し、
前記制御部は、前記撮像部が起動されている場合に、前記検出部によって前記表示部の曲げが検出されると、当該曲げの位置に対して前記表示部の一方側の領域と、前記曲げの前記位置に対して前記一方側とは異なる他方側の領域とのそれぞれに、前記撮像部によって撮像された画像を表示させる
請求項１に記載の電子機器。
【請求項５】
前記検出部は、曲げセンサ、タッチパネル又は圧電シートの少なくとも１つで構成される
請求項１から４のいずれか１項に記載の電子機器。
【請求項６】
前記検出部は、曲げ量と、曲げ位置と、を検出し、
前記制御部は、前記曲げ量と前記曲げ位置とに応じた表示制御を行う
請求項１から５のいずれか１項に記載の電子機器。
【請求項７】
前記表示部、前記検出部及び前記制御部を収容する電子機器本体をさらに有し、
前記検出部は、前記表示部における前記電子機器本体から引き出された部分の曲げを検出する  
請求項１から６のいずれか１項に記載の電子機器。
【請求項８】
前記表示部には、ヒンジ部が備えられ、
前記検出部は、前記ヒンジ部に設けられた角度検出センサである
請求項１から６のいずれか１項に記載の電子機器。
【請求項９】
前記制御部は、電子ファイルにおける所定のページが前記表示部に表示されている場合に、前記検出部によって前記表示部の曲げが検出されると、当該曲げの位置に応じて、当該所定のページより後のページもしくは当該所定のページより前のページを表示させる表示制御を行う
請求項１に記載の電子機器。
【請求項１０】
前記制御部は、前記表示部の曲げの位置が前記表示部の一端近傍である場合、当該所定のページより後のページを表示させ、前記表示部の曲げの位置が前記表示部の他端近傍である場合、当該所定のページより前のページを表示させ、
前記一端及び他端は、前記電子ファイルの種類に応じて異なる
請求項９に記載の電子機器。
【請求項１１】
前記制御部は、曲げた状態で一定時間維持されたことを検出した場合、若しくは所定の曲げ角度以上の曲げを検出した場合は、複数ページを一度にめくる動作若しくは連続的なページめくり動作を実行する請求項１に記載の電子機器。
【請求項１２】
前記制御部は、電子ファイルにおける所定のページが前記表示部に表示されている場合に、前記検出部によって前記表示部の曲げが検出されると、前記電子ファイルの閲覧を終了する
請求項１に記載の電子機器。
【請求項１３】
前記制御部は、前記検出部によって前記表示部における所定の曲げ角度以上の曲げが検出されると、当該曲げによって前記表示部が破損する怖れがある旨の警告を報知する
請求項１に記載の電子機器。
【発明の詳細な説明】
【技術分野】
【０００１】
本発明は、可撓性の表示部を有する電子機器に関する。
【背景技術】
【０００２】
電子機器には、電子ペーパーと呼ばれる可撓性を有する表示部を備えるタイプがある。その電子機器は、例えば、表示部に積層配置されたセンサを備えると共に、表示部とセンサとを巻いた状態等で電子機器本体に収納可能になっている（特許文献１参照）。
【先行技術文献】
【特許文献】
【０００３】
【特許文献１】日本国特開２００７−２６４９２３号公報
【発明の概要】
【０００４】
しかしながら、特許文献１に記載された電子機器は、表示部に対して曲げ等を行っても、その曲げに起因した表示制御を行わない。
【０００５】
本発明は、曲げに基づいた表示制御を行うことができる電子機器を提供することを目的とする。
【０００６】
本発明は、表示部と、検出部と、制御部と、を備える電子機器に関する。前記表示部は、可撓性を有する。前記検出部は、前記表示部の曲げを検出することが可能である。前記制御部は、前記検出部によって曲げが検出された場合に、当該曲げに基づいた表示制御を実行する。
【０００７】
上記の電子機器において、前記制御部は、前記検出部によって曲げが検出された場合に、当該曲げの位置に応じた表示領域で前記表示部に表示させてもよい。
【０００８】
上記の電子機器において、前記制御部は、前記検出部によって曲げが検出された場合に、前記検出部による曲げの検出時に前記表示部に表示されていた第１の画像とは異なる第２の画像を前記表示部に表示させてもよい。
【０００９】
上記の電子機器は、撮像部をさらに有してもよく、前記制御部は、前記撮像部が起動されている場合に、前記検出部によって前記表示部の曲げが検出されると、当該曲げの位置に対して前記表示部の一方側の領域と、前記曲げの前記位置に対して前記一方側とは異なる他方側の領域とのそれぞれに、前記撮像部によって撮像された画像を表示させてもよい。
【００１０】
上記の電子機器において、前記検出部は、曲げセンサ、タッチパネル又は圧電シートの少なくとも１つで構成されてもよい。
【００１１】
上記の電子機器において、前記検出部は、曲げ量と、曲げ位置と、を検出してもよく、前記制御部は、前記曲げ量と前記曲げ位置とに応じた表示制御を行う。
【００１２】
上記の電子機器は、前記表示部、前記検出部及び前記制御部を収容する電子機器本体をさらに有してもよく、前記検出部は、前記表示部における前記電子機器本体から引き出された部分の曲げを検出する。
【００１３】
上記の電子機器において、前記表示部には、ヒンジ部が備えられてもよく、前記検出部は、前記ヒンジ部に設けられた角度検出センサである。
【００１４】
上記の電子機器において、前記制御部は、電子ファイルにおける所定のページが前記表示部に表示されている場合に、前記検出部によって前記表示部の曲げが検出されると、当該曲げの位置に応じて、当該所定のページより後のページもしくは当該所定のページより前のページを表示させる表示制御を行ってもよい。
【００１５】
上記の電子機器において、前記制御部は、前記表示部の曲げの位置が前記表示部の一端近傍である場合、当該所定のページより後のページを表示させ、前記表示部の曲げの位置が前記表示部の他端近傍である場合、当該所定のページより前のページを表示させてもよく、前記一端及び他端は、前記電子ファイルの種類に応じて異なってもよい。
【００１６】
上記の電子機器において、前記制御部は、曲げた状態で一定時間維持されたことを検出した場合、若しくは所定の曲げ角度以上の曲げを検出した場合は、複数ページを一度にめくる動作若しくは連続的なページめくり動作を実行してもよい。
【００１７】
上記の電子機器において、前記制御部は、電子ファイルにおける所定のページが前記表示部に表示されている場合に、前記検出部によって前記表示部の曲げが検出されると、前記電子ファイルの閲覧を終了してもよい。
【００１８】
上記の電子機器において、前記制御部は、前記検出部によって前記表示部における所定の曲げ角度以上の曲げが検出されると、当該曲げによって前記表示部が破損する怖れがある旨の警告を報知してもよい。
【００１９】
本発明によれば、曲げに基づいた表示制御を行うことができる電子機器を提供することができる。
【図面の簡単な説明】
【００２０】
【図１】図１は、本発明の電子機器の一実施形態について説明するための図である。
【図２】図２は、表示制御の一例について説明するための図である。
【図３】図３は、電子機器本体を備える電子機器について説明するための図である。
【図４】図４は、本発明の電子機器の他の実施形態について説明するための図である。
【本発明の詳細な説明】
【００２１】
以下、本発明の電子機器の一実施形態について説明する。図１は、本発明の電子機器の一実施形態について説明するための図である。
【００２２】
電子機器１の一例として、電子ペーパーが挙げられる。
電子機器１は、表示部１１と、検出部１２と、制御部１３と、を備える。表示部１１及び検出部１２は、例えば、タッチパネルディスプレイ１０として機能する。
表示部１１は、可撓性を有する。表示部１１は、例えば、フレキシブルディスプレイである。表示部１１には、例えば、液晶パネル又は有機ＥＬ（Ｅｌｅｃｔｒｏｌｕｍｉｎｅｓｃｅｎｃｅ）パネル等が用いられる。
【００２３】
検出部１２は、表示部１１に重なって配置される。検出部１２は、表示部１１に密着するように配されてもよく、又は、ゲル状の物質（図示せず）を介して表示部１１に重なるように配されてもよい。また、検出部１２は、表示部１１の背面全面に配されていてもよい。また、検出部１２は、表示部１１の背面の一部に配されていてもよい。背面の一部とは、例えば、表示部１１の背面における横辺、縦辺近傍であってもよい。また、検出部１２は、検出部１２と表示部１１との間にゲル状の物質が介在する場合には、表示部１１と検出部１２との過度の屈曲により、表示部１１又は検出部１２が破損することを防止することができる。
また、表示部１１の内部に検出部１２が構成されていてもよい。
【００２４】
検出部１２は、可撓性を有する。検出部１２は、曲げを検出することが可能である。検出部１２は、曲げ量と、曲げ位置と、を検出する。検出部１２は、例えば、タッチパネルである。具体的な例としては、検出部１２は、抵抗式又は静電方式のタッチパネルである。又は、検出部１２は、曲げセンサによって構成されてもよい。曲げセンサは、例えば、略直線状の形状をしており、曲げ角度は曲げセンサの抵抗値に応じて検出される。ここで、検出部１２が曲げセンサの場合、曲げセンサは、表示部１１の縦辺、横辺にそれぞれ沿うように配されていてもよい。また、曲げセンサが配されるのは、表示部１１の全ての横辺、縦辺に限られず、表示部１１の一の縦辺及び一の横辺であってもよい。また、曲げセンサは、表示部１１の裏面において対角線状に１つずつ配されていてもよく、その場合には、それぞれの曲げセンサにおける検出結果を解析して、総合的に、曲げ量及び曲げ位置を判定する。なお、検出部１２は、例えば、圧電素子（圧電シート若しくはピエゾフィルムシート）であってもよい。ここでいう、ピエゾフィルムシートは、圧電効果を有するプラスチックＰＶＤＦ（ＰｏｌｙＶｉｎｙｌｉｄｅｎｅ  ＤｉＦｌｕｏｒｉｄｅ）からつくられたものであってもよい。検出部１２が圧電シートである場合には、圧電シートが曲げられた場合に出力される電圧に基づいて曲げを検出してもよい。検出部１２は、例えば、抵抗又は電圧等の変化に基づいて、曲げを検出する。検出部１２では、通常のタッチ操作を曲げと区別するために、例えば、曲げによる抵抗又は電圧等の変化の閾値がタッチ操作による抵抗又は電圧等の閾値に比べて高く設定される。なお、検出部１２は、所定の時間、曲げ及び曲げの位置が維持される場合に、曲げとして検出してもよい。
【００２５】
制御部１３は、検出部１２によって曲げが検出された場合に、その曲げに基づいた表示制御を実行させる。制御部１３は、曲げ量と曲げ位置とに応じた表示制御を行う。
【００２６】
図２は、表示制御の一例について説明するための図である。例えば、表示部１１が矩形の場合において、検出部１２によって、表示部１１の端部から縦方向（又は、横方向）へ、縦方向（又は、横方向）全体の長さの５０％の位置で曲げが検出された場合には、制御部１３は、図２に示すように、曲げ位置Ａを基準にして一方の領域Ｂにキーボードを表示し、他方の領域Ｃにそのキーボードの操作に基づいて入力された文字を表示する。つまり、制御部１３は、一方の領域Ｂに入力手段を表示し、他方の領域Ｃに当該入力手段を反映した結果を表示する。また、制御部１３は、一方の領域Ｂに画像（若しくは動画）を表示し、他方の領域Ｃに画像（若しくは動画）を表示してもよく、それぞれの画像（若しくは動画）が互いに異なる内容であってもよい。また、制御部１３は、全体に電子書籍ファイル（電子ファイル）の第１のページが表示されている状態において、表示部１１の端部から縦方向（又は、横方向）へ、縦方向（又は、横方向）全体の長さの５０％の位置で曲げが検出されると、第１のページ及び第２のページを表示するよう制御する。ここで、第１のページ及び第２のページを表示するとは、曲げ位置Ａを基準にして一方の領域Ｂに第１のページを表示し、他方の領域Ｃに第２のページを表示することを意味する。第２のページとは、第１のページの次のページであっても、第１のページの前のページであってもよい。
【００２７】
又は、例えば、表示部１１が矩形の場合において、検出部１２によって、表示部１１の端部から縦方向（又は、横方向）へ、縦方向（又は、横方向）全体の長さの３０％の位置で曲げが検出された場合には、制御部１３は、表示部１１に所定のアプリケーションの起動を促す表示をする。例えば、制御部１３は、エクスプローラーバーを表示部１１に表示する。
【００２８】
又は、例えば、表示部１１が矩形の場合において、検出部１２によって、表示部１１の端部から縦方向（又は、横方向）へ、縦方向（又は、横方向）全体の長さの２０％の位置で曲げが検出された場合には、制御部１３は、所定のアプリケーションを起動する。例えば、制御部１３は、オーディオプレイヤを起動して、音楽再生リストを表示部１１に表示する。なお、所定のアプリケーションは、以前に起動したことのあるアプリケーションのうち直近で起動したアプリケーションであってもよい。
【００２９】
又は、例えば、表示部１１が矩形の場合において、検出部１２によって、表示部１１の端部から縦方向（又は、横方向）へ、縦方向（又は、横方向）全体の長さの１０％の位置で曲げが検出された場合には、制御部１３は、表示部１１にステータスに関する情報を表示する。例えば、制御部１３は、タスクバー又は時計を表示部１１に表示する。
【００３０】
又は、例えば、表示部１１が矩形の場合において、検出部１２によって縦方向（又は、横方向）に対して斜め方向の曲げが検出された場合には、曲げ位置を基準にして一方の領域に右手用又は左手用キーボードを表示し、他方の領域にそのキーボードの操作に基づいて入力された文字を表示する。ここで、縦方向（又は、横方向）に対して斜め方向の曲げとは、縦方向（又は、横方向）に対して平行な方向ではない方向の曲げである。
【００３１】
又は、例えば、検出部１２によって表示部１１のフチ（例えば、表示部１１の端部近傍）が曲げられたことを検出した場合には、制御部１３は、表示部１１に現在表示されている画面についてのプリントスクリーンを行う（現在表示されている画面を画像として保存する）こと、表示部１１に電子書籍ファイル（電子ファイル）における所定のページが表示されている場合にしおりを挟む制御を行うこと、マウスパッドを表示すること、ゲームを起動すること、又は、天気若しくは株価等のガジェットを表示部１１に表示すること、等のいずれかを実行する。
【００３２】
又は、例えば、検出部１２によって表示部１１が表面から裏面へ裏返ることが検出された場合には、制御部１３は、電子書籍ファイル（電子ファイル）における所定のページが表示部１１に表示されているページを先送りすること、又は、曲げ位置に対する表示部１１の一方の領域と他方の領域とで異なる画面を表示すること、等を実行する。表示部１１が裏返ることを検出するケースとしては、表示部１１の縁の裏面から表面方向への曲げを検出した場合や、表示部１１の表示方向に対する略垂直方向の曲げを検出した場合等である。なお、表面とは、表示部１１において表示されている面を指し、裏面とは、当該表面の裏の面であって、表示部１１において表示されていない面を指す。
【００３３】
又は、例えば、表示部１１を小刻みに揺らすことに基づく曲げが検出部１２によって検出された場合には、制御部１３は、表示部１１に表示される文字を全て消去すること、前画面に戻ること、又は、ゲームを起動すること、等のいずれかを実行する。ここで、検出部１２若しくは制御部１３は、表示部１１を所定の時間以下の時間間隔で所定の曲げ角度以下の曲げを連続的に検出した場合には、小刻みに揺らすことに基づく曲げと判断する。
【００３４】
これにより、電子機器１は、曲げに基づいた表示制御を行うことができる。なお、上記には曲げ位置に基いて、制御部１３が種々の処理を行うことを例示したが、制御部１３は曲げ量に基づいて、上記に記載されるような種々の処理を行うようにしてもよい。
【００３５】
制御部１３は、検出部１２によって曲げが検出された場合に、その曲げの位置に応じた表示領域で表示部１１に表示させることが好ましい。
例えば、表示部１１と検出部１２とが矩形の場合において、検出部１２によって、表示部１１の端部から縦方向（又は、横方向）へ、縦方向（又は、横方向）全体の長さの５０％の位置で曲げが検出された場合には、制御部１３は、曲げ位置を基準にして一方の領域と他方の領域のそれぞれに同一又は異なる画像を表示させる。なお、上記５０％の位置は一例であり、本発明は、この例に限定されることはない。
これにより、電子機器１は、曲げの位置に応じた表示をすることができ、様々な曲げに応じて多彩な表示を実現することができる。
【００３６】
制御部１３は、検出部１２によって曲げが検出された場合に、検出部１２による曲げの検出時に表示部１１に表示されていた第１の画像とは異なる第２の画像を表示部１１に表示させることが好ましい。
例えば、制御部１３は、検出部１２によって曲げを検出した場合に、アプリケーションを起動して、そのアプリケーションに基づく画像（第２の画像）を表示部１１に表示させる。また、曲げの角度、曲げの方向（縦方向、横報告、斜め方向）、曲げの位置に応じて、表示させる画像の内容、大きさ、解像度を異ならせてもよい。
【００３７】
電子機器１は、電子書籍アプリケーションを起動する端末もしくは電子書籍（電子ファイル）を表示する端末であってよい。制御部１３は、電子ファイルの所定のページが表示されている場合に、検出部１２によって表示部１１の曲げが検出されると、曲げ位置に応じて、次のページもしくは前のページを表示させる。具体的には、制御部１３は、表示部１１の一端近傍で曲げが検出された場合には次のページを表示させ、表示部１１の他端近傍で曲げが検出された場合には前のページを表示させる。ここでいう、一端及び他端は、電子ファイルの種類に応じてその位置を異ならせてもよい。例えば、電子ファイルが右開きのものである場合には、一端を右端、他端を左端としてもよい。また、例えば、電子ファイルが左開きのものである場合には、一端を左端、他端を右端としてもよい。
なお、表示部１１が矩形の場合において、曲げを検出した位置が表示部１１の四隅のいずれかに応じて、次のページもしくは前のページを表示させてもよい。又、制御部１３は、曲げた状態で一定時間維持されたことを検出した場合、若しくは所定の曲げ角度以上の曲げを検出した場合は、複数ページを一度にめくる動作若しくは連続的なページめくり動作を実行する。
【００３８】
又は、例えば、制御部１３は、電子書籍ファイル（電子ファイル）が表示されている場合に、検出部１２によって表示部１１の曲げが検出されると、電子書籍ファイル（電子ファイル）の閲覧を終了する処理を行う。具体的には、検出部１２によって、表示部１１の曲げ角度が90度以上の曲げを検出したである場合、ページめくりにおいて規定される表示部１１の曲げ範囲（例えば、１０度〜３０度）よりも広い曲げ範囲を検出した場合又は表示部１１の曲げを中央近傍に検出した場合（いわゆるＶ字型の曲げを検出した場合）には、電子書籍ファイル（電子ファイル）の閲覧を終了する処理を実行する。また、電子書籍ファイルの閲覧を終了する代わりに現在、表示しているページの章の最初のページに戻る処理である。
【００３９】
又は、例えば、制御部１３は、画像閲覧アプリケーションが起動されている場合に、検出部１２によって曲げが検出されると、画像を１コマずつ送るよう制御する。すなわち、制御部１３は、画像閲覧アプリケーションが起動されて表示部１１に第１の画像が表示される場合に、検出部１２によって曲げが検出されると、画像を１コマ送って、第２の画像を表示部１１に表示させる。
これにより、電子機器１は、ユーザ等の曲げの動作に応じた表示を行うことができる。
【００４０】
なお、制御部１３は、検出部１２によって所定値以上の曲げ角度が検出されると、曲げによる表示部１１が破損する怖れがある旨の警告を報知する。報知の仕方としては、例えば、表示部１１に警告のメッセージを表示することでもよい。
【００４１】
電子機器１は、撮像部１４をさらに備えることが好ましい。撮像部１４は、カメラ部として機能する。撮像部１４は、静止画又は動画を取得する。撮像部１４は、電子機器１に内蔵され、又は電子機器１に外付けされる。撮像部１４が電子機器１に内蔵される場合、撮像部１４は、例えば、後述する電子機器本体２に配されてもよい。また、撮像部１４が外付けされる場合、電子機器１には、撮像部１４を接続するためのインターフェイス（図示せず）が配される。
【００４２】
この場合、制御部１３は、撮像部１４が起動されている場合に、検出部１２によって表示部１１の曲げが検出されると、曲げの位置に対して表示部１１の一方側の領域と、曲げの位置に対して一方側とは異なる他方側の領域とのそれぞれに、撮像部１４によって撮像された画像を表示させる。これにより、電子機器１の一方の面側に撮像部１４が配され、他方の面側に表示部１１が配される場合でも、表示部１１を曲げて他方の面をユーザ側に向けると、電子機器１は、撮像部１４でそのユーザを撮影しても、撮影した画像をリアルタイムでユーザに確認させることができる。すなわち、制御部１３は、一方の領域と他方の領域とのそれぞれにプレビュー画像を表示させることができる。
【００４３】
図３は、電子機器本体２を備える電子機器１について説明するための図である。
図３に示すように、電子機器１は、タッチパネルディスプレイ１０（表示部１１及び検出部１２）及び制御部１３を収容する電子機器本体２をさらに備えることが好ましい。電子機器本体２は、タッチパネルディスプレイ１０を巻き取り収納する。タッチパネルディスプレイ１０の一端には、手持部３が設けられる。手持部３は、タッチパネルディスプレイ１０を電子機器本体２から引き出すときに使用される。
【００４４】
この場合、検出部１２は、タッチパネルディスプレイ１０（表示部１１）における電子機器本体２から引き出された部分の曲げを検出する。すなわち、タッチパネルディスプレイ１０のうち電子機器本体２から引き出された部分は、通常、略平面状になっていると考えられる。略平面状になっている部分では、検出部１２は、曲げを検出していない。一方、タッチパネルディスプレイ１０が電子機器本体２の内部に巻き取り収納されていると、検出部１２は、面領域で曲げを検出する。
【００４５】
このため、検出部１２によって曲げを検出していない部分（面領域で曲げを検出していない部分）で新規に曲げを検出した場合、制御部１３は、曲げがあったと判断して、その曲げに基づく表示制御を実行する。
これにより、電子機器１は、曲げに基づいた表示制御を行うことができる。
【００４６】
なお、タッチパネルディスプレイ１０の全てが電子機器本体２から引き出されていない場合、電子機器本体２から引き出されている部分を１００％として、例えば、そのうちの５０％、３０％、２０％又は１０％の位置で検出部１２によって曲げが検出されると、制御部１３は、上述した曲げ位置に対応した表示制御を実行してもよい。
【００４７】
ここで、表示部１１及び検出部１２の曲げを維持させるには、次の方法がある。
第１の方法は、表示部１１の裏側に圧電シートを積層配置させる方法である。表示部１１の裏側とは、表示部１１における検出部１２が配された面とは反対側の面のことである。表示部１１の曲げ部分では、タッチ操作の場合に比べて、検出部１２で検出される抵抗又は電圧値等が大きく変化する。このため、圧電シートに電圧を印加して曲げ部分に圧力を与え続けることにより、表示部１１の曲げを維持することが可能になる。すなわち、図２の例を実行することができる。
【００４８】
第２の方法は、表示部１１及び検出部１２の一端側に第１の磁石を設けると共に、その第１の磁石に対向させて第２の磁石を配置する方法である。第１の磁石と第２の磁石とのそれぞれの極性は同じである。これにより、第１の磁石と第２の磁石との反発力により、表示部１１の一端側が浮き上がり、表示部１１の曲げを維持することが可能になる。すなわち、図２の例を実行することができる。
【００４９】
図４は、本発明の電子機器の他の実施形態について説明するための図である。
表示部１１には、ヒンジ部２３が備えられてもよい。例えば、ヒンジ部２３は、第１筐体２１と、第２筐体２２とを結合する。この場合、表示部１１は、第１筐体２１と、ヒンジ部２３と、第２筐体２２とに亘って配される。この場合、検出部１２は、ヒンジ部２３に設けられた角度検出センサ（図示せず）である。検出部１２は、ヒンジ部２３を介した第１筐体２１と第２筐体２２とのなす角を測定する。制御部１３は、検出部１２によって測定される角度に基づいた表示制御を実行する。
これにより、電子機器１０１は、筐体２１，２２を有する構成であっても、曲げに基づいた表示制御を行うことができる。
【００５０】
本発明を詳細にまた特定の実施態様を参照して説明したが、様々な変更や修正を加えることができることは当業者にとって明らかである。
本出願は、2013年3月14日出願の日本特許出願・出願番号2013-051427に基づくものであり、その内容はここに参照として取り込まれる。
【符号の説明】
【００５１】
１  電子機器
１１  表示部
１２  検出部
１３  制御部
１４  撮像部
２３  ヒンジ部
１０１  電子機器
【図１】
2014142269.tif 000003
【図２】
2014142269.tif 000004
【図３】
2014142269.tif 000005
【図４】
2014142269.tif 000006
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
可撓性を有する表示部と、
前記表示部の曲げを検出することが可能な検出部と、
前記検出部によって曲げが検出された場合に、当該曲げに基づいた表示制御を実行させる制御部と、
を備え、
前記表示部には、ヒンジ部が備えられ、
前記検出部は、前記ヒンジ部に設けられた角度検出センサであり、
前記制御部は、
前記角度検出センサが検出した角度が第１の角度範囲であるか、若しくは、第２の角度範囲であるかに基づいて異なる制御を実行する
電子機器。
【請求項２】
前記制御部は、前記検出部によって曲げが検出された場合に、当該曲げの位置に応じた表示領域で前記表示部に表示させる
請求項１に記載の電子機器。
【請求項３】
前記制御部は、前記検出部によって曲げが検出された場合に、前記検出部による曲げの検出時に前記表示部に表示されていた第１の画像とは異なる第２の画像を前記表示部に表示させる
請求項１に記載の電子機器。
【請求項４】
撮像部をさらに有し、
前記制御部は、前記撮像部が起動されている場合に、前記検出部によって前記表示部の曲げが検出されると、当該曲げの位置に対して前記表示部の一方側の領域と、前記曲げの前記位置に対して前記一方側とは異なる他方側の領域とのそれぞれに、前記撮像部によって撮像された画像を表示させる
請求項１に記載の電子機器。
【請求項５】
前記検出部は、曲げセンサ、タッチパネル又は圧電シートの少なくとも１つで構成される
請求項１から４のいずれか１項に記載の電子機器。
【請求項６】
前記検出部は、曲げ量と、曲げ位置と、を検出し、
前記制御部は、前記曲げ量と前記曲げ位置とに応じた表示制御を行う
請求項１から５のいずれか１項に記載の電子機器。
【請求項７】
前記表示部、前記検出部及び前記制御部を収容する電子機器本体をさらに有し、
前記検出部は、前記表示部における前記電子機器本体から引き出された部分の曲げを検出する
請求項１から６のいずれか１項に記載の電子機器。
【請求項８】
前記制御部は、電子ファイルにおける所定のページが前記表示部に表示されている場合に、前記検出部によって前記表示部の曲げが検出されると、当該曲げの位置に応じて、当該所定のページより後のページもしくは当該所定のページより前のページを表示させる表示制御を行う
請求項１に記載の電子機器。
【請求項９】
前記制御部は、前記表示部の曲げの位置が前記表示部の一端近傍である場合、当該所定のページより後のページを表示させ、前記表示部の曲げの位置が前記表示部の他端近傍である場合、当該所定のページより前のページを表示させ、
前記一端及び他端は、前記電子ファイルの種類に応じて異なる
請求項８に記載の電子機器。
【請求項１０】
前記制御部は、曲げた状態で一定時間維持されたことを検出した場合、若しくは所定の曲げ角度以上の曲げを検出した場合は、複数ページを一度にめくる動作若しくは連続的なページめくり動作を実行する請求項１に記載の電子機器。
【請求項１１】
前記制御部は、電子ファイルにおける所定のページが前記表示部に表示されている場合に、前記検出部によって前記表示部の曲げが検出されると、前記電子ファイルの閲覧を終了する
請求項１に記載の電子機器。
【請求項１２】
前記制御部は、前記検出部によって前記表示部における所定の曲げ角度以上の曲げが検出されると、当該曲げによって前記表示部が破損する怖れがある旨の警告を報知する
請求項１に記載の電子機器。
【国際調査報告】
2014142269.tif 000007
2014142269.tif 000008
2014142269.tif 000009
2014142269.tif 000010